(57)【要約】      （修正有）【課題】飲料用紙コップと食品用紙コップを同時に片手で持ち、飲食できる紙コップ連結器具を提供する。【解決手段】鼓型状の中空洞の一体のもので、上部下部開口部に紙コップ差し込み口を設け、上下対称となる場所にストロー差し込み口ｂ１を配し、上部に置く食品用紙コップＣが下部に配す飲料水用紙コップＤに重ならないようにし、片手で持ち飲食できるよう装備した。【選択図】図５
2015037950.tif 000002
【特許請求の範囲】
【請求項１】
鼓型の形状で上下対称で形成され、中空洞の一体のもので構成されたことを特徴とする
紙コップ連結器具。
【請求項２】
中空洞の内側に向かって平滑な曲面をした鼓型構造をしたことを特徴とする、請求項１に記載する紙コップ連結器具。
【請求項３】
中空洞の内側に向かって平滑な曲面をした鼓型にすることで、紙コップ差し込み時、ストッパーの役割となり下部面にある紙コップに重ならないよう構成したことを特徴とする、請求項１又は２に記載する紙コップ連結器具。
【請求項４】
鼓型の形状で上下対称で形成され、中空洞の一体のもので構成され、該曲面が折りたたみを目的としたジャバラ構造にしたことを特徴とする紙コップ連結器具。
【請求項５】
紙コップ連結器具の上部下部の開口部が紙コップ開口部に差し込み固定できるよう構成したことを特徴とする、請求項１又は２又は３又は４に記載する紙コップ連結器具。
【請求項６】
紙コップ連結器具の上下対称となる場所に、ストロー差し込み口を設けたことを特徴とする、請求項１又は２又は３又は４又は５に記載する紙コップ連結器具。
【請求項７】
紙コップ連結器具の上部下部の開口部に切欠きと、前記切欠きの部分に丸穴加工を施し、切欠き部分を折り曲げて楊枝が刺せるよう構成したことを特徴とする、請求項１又は２又は３又は４又は５又は６に記載する紙コップ連結器具。
【発明の詳細な説明】
【技術分野】
【０００１】
本発明は、飲料用紙コップと食品用紙コップを片手で持てるよう対策を施した紙コップ連結器具に関するものである。
【背景技術】
【０００２】
従来から、紙コップに関する器具は提供されている。
（特許文献１）
【先行技術文献】
【特許文献】
【０００３】
【特許文献１】特開  ２００７−３２６６３８
【発明の概要】
【発明が解決しようとする課題】
【０００４】
（イ）特許文献１は、紙コップを重ねる構造であるため飲料用紙コップの内容量が少なくなる上、ストロー差し込み口を紙コップ自体に設ける構造にしなくてはならず、製  造コストが上がり価格も高くなることと、既成の紙コップを使うことができないため、  汎用性に劣る。
（ロ）紙コップを使用し飲料しながら物を食べる場合、飲料用紙コップと食品用紙コップの２種類の容器が必要であり、同時に２種類の容器を持って食べたり、飲料したりすることは難しく、どちらか一方はテーブルに置いておかなくてはならず不便さを感じていた。
本発明は、飲料水用紙コップと食品用紙コップを片手で同時に持つことができ、飲料しながら食品を食べることができる紙コップ連結器具を提供することを本発明の目的とするものである。
【課題を解決するための手段】
【０００５】
次に、上記課題を解決するために、その手段を説明する。
【０００６】
本発明の請求項１は、鼓型の形状で上下対称で形成され、中空洞の一体のもので構成されたことを特徴とする紙コップ連結器具。
【０００７】
本発明の請求項２は、中空洞の内側に向かって平滑な曲面をした鼓型構造をしたことを特徴とする、請求項１に記載する紙コップ連結器具。
【０００８】
本発明の請求項３は、中空洞の内側に向かって平滑な曲面をした鼓型にすることで、コップ差し込み時、ストッパーの役割となり下部面にある紙コップに重ならないよう構成したことを特徴とする、請求項１又は２に記載する紙コップ連結器具。
【０００９】
本発明の請求項４は、鼓型の形状で上下対称で形成され、中空洞の一体のもので構成され、該曲面が折りたたみを目的としたジャバラ構造にしたことを特徴とする紙コップ連結器具。
【００１０】
本発明の請求項５は、紙コップ連結器具の上部下部面の開口部が紙コップ開口部に差し込み固定できるよう構成したことを特徴とする、請求項１又は２又は３又は４に記載する紙コップ連結器具。
【００１１】
本発明の請求項６は、紙コップ連結器具の上下対称となる場所に、ストロー差し込み口を設けたことを特徴とする、請求項１又は２又は３又は４又は５に記載する紙コップ連結器具。
【００１２】
本発明の請求項７は、紙コップ連結器具の上部下部の開口部に切欠きと、前記切欠きの部分に丸穴加工を施し、切欠き部分を折り曲げて楊枝が刺せるよう構成したことを特徴とする請求項１又は２又は３又は４又は５又は６に記載する紙コップ連結器具。
【発明の効果】
【００１３】
本発明は以上のように構成されているので、以下に記載されるような効果を奏す。
【００１４】
市販の紙コップが使用できるため、汎用性が高い。
【００１５】
紙コップどうしを重ねる構造でないため、通常の内容量が保てる。
【００１６】
上下対称で出来ているため、どちら方向でも差し込みができることから利便性が高い。
【００１７】
片手で使用できるため、利便性が高い。
【００１８】
紙コップのサイズにより連結器具の大きさを変えることで、あらゆるサイズの紙コップに対応できる。
【００１９】
連結器具を使用することで、上部に載せる食品用紙コップが下部にある飲料水に触れることがないため衛生的である。
【００２０】
紙コップ連結器具が折りたたみを目的としたジャバラ構造にしているため、場所を取らず保管できコンパクトに収納できる。
【００２１】
紙コップ連結器具に楊枝立てが備わっているため、手で直接食品を掴まなくて済み、衛生的であるのと手が汚れない。
【００２２】
構造が簡単なため製造原価が抑えられ安価で提供できる。
【図面の簡単な説明】
【００２３】
【図１】紙コップ連結器具の正面図である。
【図２】ジャバラ構造の紙コップ連結器具の正面図である。
【図３】紙コップ連結器具の底面図である。
【図４】紙コップ連結器具を使用している斜視図である。
【図５】ジャバラ構造の紙コップ連結器具を使用している斜視図である。
【発明を実施するための形態】
【００２４】
次は、この発明の実施の形態について説明する。
【００２５】
図１の紙コップ連結器具の構成を説明する。鼓型状の中空洞Ａで構成さ、上部下部開口部に紙コプ差し込み口a1、a2と切欠きd1、d2、d3、d4、前記切欠き部分に丸穴加工e1、
e2、e3、e4を施した楊枝立て部f1を設け、上部下部にストロー差し込み口b1、b2を配し、一体成形された構造にしたものが、紙コップ連結器具である。
【００２６】
図２の紙コップ連結器具の構成の説明をする。鼓型状の中空洞Ａで構成され、上部下部開口部に紙コップ差し込み口a1、a2を設け、上部下部にストロー差し込み口b1、b2を配し、折りたためるようジャバラ構造２にし、一体成型された構造にしたものが、紙コップ連結器具である。
【００２７】
図３の紙コップ連結器具の構成を説明する。紙コップ連結器具１を中空洞Ａの構造にしたものが、紙コップ連結器具である。
【００２８】
図４の紙コップ連結器具の構成を説明する。飲料水用紙コップＤに紙コップ連結器具１を差し込み固定し、ストロー差し込み口b1からストローＢを差し込み、上部に食品用紙コップＣを配し、紙コップ連結器具１の使用例を示す図である。
【００２９】
図５の紙コップ連結器具の構成を説明をする。飲料水用紙コップＤに折りたたみできるジャバラ構造の紙コップ連結器具１を差し込み固定し、ストロー差し込み口b1からストローＢを差し込み、上部に食品用紙コップＣを配し、紙コップ連結器具１の使用例を示す図である。
【符号の説明】
【００３０】
１              紙コップ連結器具
２              ジャバラ状紙コップ連結器具
Ａ              中空洞
Ｂ              ストロー
Ｃ              食品用紙コップ
Ｄ              飲料水用紙コップ
a1              紙コップ差し込み口
a2              紙コップ差し込み口
b1              ストロー差し込み口
b2              ストロー差し込み口
d1              切欠き
d2              切欠き
d3              切欠き
d4              切欠き
e1              丸穴
e2              丸穴
e3              丸穴
e4              丸穴
f1              楊枝立て部    
【図１】
2015037950.tif 000003
【図２】
2015037950.tif 000004
【図３】
2015037950.tif 000005
【図４】
2015037950.tif 000006
【図５】
2015037950.tif 000007